(57)【要約】      （修正有）【課題】排水貯水槽１の腐敗悪臭発生を防止する、何処の小店舗ビルにおいても使える１００Ｖ小型水中曝気装置を提供する。【解決手段】水面の浮遊スカムと空気を摂取するためラッパ状のベルマウス５と、汚水汚泥用水中ポンプ３と、ベルマウス５と汚水汚泥用水中ポンプ３の吸込み口の長さが調整出来る樹脂配管部４からなる。汚水汚物水中ポンプ３の吐出側にはオスメスエルボ６を配置し、オスメスエルボ６の内径に螺旋状のネジを施したネジ加工部６−１を設け、吸い込んだ浮遊スカムを吐出圧力によりそのネジ加工部６−１で破砕し、ネジ加工部６−１に空気を当て気泡状に変化させ、排水貯水槽１内に拡散曝気させる。【選択図】図１
0003155673.tif 000002
【実用新案登録請求の範囲】
【請求項１】
水面の浮遊スカムと空気を摂取するためラッパ状のベルマウスと、汚水汚泥用水中ポンプと、ベルマウスと汚水汚物用水中ポンプの吸込み口を接続するため、ベルマウスと汚水汚泥用水中ポンプの吸込み口の長さが調整出来る樹脂配管部からなり、
汚水汚物水中ポンプの吐出側にはオスメスエルボを配置し、オスメスエルボの内径に螺旋状のネジを施したネジ加工部を設け、吸い込んだ浮遊スカムを吐出圧力によりそのネジ加工部で破砕し、ネジ加工部に空気を当て気泡状に変化させ、排水貯水槽内に拡散曝気させることを特徴とする排水貯水槽の小型水中曝気装置。
【請求項２】
排水貯水槽の底面２に小型水中曝気装置を設置するとき、ゴム敷板７を配置することで小型水中曝気装置の起動と停止時における衝撃を緩和し、移動を防止する請求項１に記載の排水貯水槽の小型水中曝気装置。
【請求項３】
AC１００V電源の供給のみで作動できる請求項１に記載の排水貯水槽の小型水中曝気装置。
【考案の詳細な説明】
【技術分野】
【０００１】
単相１００Vを採用した小規模排水槽用の小型水中曝気装置に関する。
【背景技術】
【０００２】
従来からビル排水槽の腐敗曝気装置は、三相２００Vと三相４００V級が主体で、汚水槽と雑排水槽にて、腐敗悪臭防止とスカムの除去、汚泥推積防止と蝶バエ発生防止に、広く採用されている。
一方、小規模排水槽では、形状と寸法で設置が困難であったり、本来の性能が発揮出来ない小排水槽がある。近年では小規模排水槽内の腐敗悪臭防止と購買意欲を喚起するため、構造と形状的にも工夫を施し、環境衛生的にも改善が重要である。
【０００３】
現状では、ビル排水貯水槽の腐敗曝気装置については、中排水槽から大排水槽を主体に提案されている。
【先行技術文献】
【特許文献】
【０００４】
【特許文献１】特開昭６２−６８５９０公報
【考案の概要】
【考案が解決しようとする課題】
【０００５】
特許文献１のビル排水槽の腐敗曝気装置は、長さ７４．６ｃｍ×横幅２７ｃｍのため、形状寸法が大きく、小規模排水槽内への設置が困難である。また単相１００V用は開発されていない。
【課題を解決するための手段】
【０００６】
本考案は、汚水汚物用水中ポンプの単相１００Vで稼働可能で、長さ３５ｃｍ×横幅２０ｃｍ以下の小型水中曝気装置であり、小規模排水槽に適し、狭い場所でも設置可能であり、悪臭腐敗の抑制と改善できる。
本考案の小型水中曝気装置は、単相１００V汚水汚泥用水中ポンプの吸込み口に樹脂配管を設け、汚水面の浮遊スカムと空気を摂取するための上部配管をベルマウス（ラッパ状）とし渦巻き状態で吸引する。また、吐出側ではオスメスエルボを配置し、メス側エルボ内側に螺旋状のネジを施したネジ加工部を設け、そのネジ加工部に吐出圧力でスカム等を破砕し、空気とともに排水槽内に曝気させる。
【０００７】
本考案で汚水面のスカムと空気を同時に吸引し、水中ポンプ内を通過後吐出部で汚物等を破砕し、排水貯水槽内へ水中曝気と気泡状の空気を同時に供給する。
【考案の効果】
【０００８】
本考案の１００Ｖ小型水中曝気装置によれば、吸込み側ベルマウスの上面開口部から、
水面下にある浮遊スカムと空気を渦巻き状に吸引し、浮遊スカムと吸気した空気は水中ポンプ内を通過後、吐出側オスメスエルボ内径のネジ加工部により、スカム等の固形状汚物とペーパー類は破砕し吸引空気を気泡状に変化させた状態で、排水槽内に拡散と曝気を施す簡単な構成で、悪臭発生の抑制を図れる。
【図面の簡単な説明】
【０００９】
【図１】本考案の小型水中曝気装置の構成図。
【考案を実施するための形態】
【００１０】
以下、本考案の小型水中曝気装置を図１で説明する。
【００１１】
図１は本考案の小型水中曝気装置を示す。単相１００Vの汚水汚物用水中ポンプ３（吐出量１００L／min）には、汚水汚物用水中ポンプ用モーター３-1、汚水汚物用水中ポンプ用ケーシング３-2と、汚水汚物用水中ポンプ用ケーシング３-2に内蔵された汚水汚物用水中ポンプのポンプ構造部３-7を有する。
また、汚水汚物用水中ポンプ用ケーシング３-2の左下部に汚水汚物用水中ポンプ側の吸込み口３-5と、右上部に汚水汚物用水中ポンプ側の吐出口３-5を設けている。小型水中曝気装置は、汚水汚物用水中ポンプ用三脚３-3で支えるが、汚水汚物用水中ポンプ用架台３-４との間に空間を持たせることで、汚水汚物用水中ポンプ側の吸込み口から汚水汚物等を吸込みやすくしている。
【００１２】
浮遊スカム９と酸素及び汚水を吸引するため、ベルマウス５を配管部４（樹脂ニップル・樹脂エルボ・樹脂継手）で接続するが、排水槽内１の既設自動排水ポンプの排水停止水位とベルマウス５上面は（７〜１０cm）の間隔を設けるため、樹脂配管部４の樹脂ニップルで高さを調整し、寸法加工後は接着剤を塗布し挿入固定する。
また、樹脂配管材は鉄製の加工した部材も可能である。
【００１３】
樹脂配管部４は、汚水汚物用水中ポンプ側の吸込み口３-5に接続するが、接続に際し樹脂エルボは寸法加工後に温水で膨張させ、挿入後冷却固定し固定バンドを締付ける。
また、樹脂エルボは鉄製の加工した部材も可能である。
【００１４】
汚水汚物用水中ポンプ用架台３-4の下にはゴム敷板７を設けている。
【００１５】
オスメスエルボ６はL形状で、オス側は外形部（呼径４０A）にネジ加工を施しメス側は内径部（呼径４０A）にネジ加工を施した構成であり、汚水汚物用水中ポンプ側の吐出口３-6（メスネジの呼径４０A）に、鋳鉄製のオスメスエルボ６のオス側を締付けて組立てる。組立に際し吐出口側の外形面がモーターと接触するためオスエルボ６外面の一部を研削加工後、ネジ込固定方向はベルマウス５と１８０度反対側に向け組立てる。また、既設の状況により吐出曝気の方向は自在に修正可能である。
【００１６】
排水貯水槽の底面２はコンクリートのみにあらず、防錆塗料により床面が非常に滑りやすい。また、プラスチック構造もあるため本小型水中曝気装置の下部にはゴム敷板７（１〜３cm）を配し、汚水汚物用水中ポンプ用架台３-4の下面とゴム敷板７は接着剤で固定し、小型曝気装置の移動防止を図る。
【００１７】
本考案の小型水中曝気装置は立置きであるが、排水貯水槽１の状態によりベルマウス５とオスメスエルボ６の角度等調整で、横向き設置も可能である。
【００１８】
以下に動作説明をするが本考案を実施するにあたり、この動作説明に限定されるものではない。
【００１９】
排水貯水槽１に既設の自動排水ポンプで水位が一定レベルに増えると排水するが、本小型水中曝気装置が運転中はベルマウス５から浮遊スカム９と空気を渦巻き状に吸引する。
【００２０】
吸引した浮遊スカム９と汚水中の空気は配管部４から、汚水汚物用水中ポンプ用ケーシング３-４と汚水汚物用水中ポンプのポンプ構造部ポンプ３-７を通過して吐出側３-６に流れ、エルボメス側内径のネジ加工部６-1で吐出圧力により浮遊スカム９を破砕し、空気を気泡状に変化させ排水貯水槽１に拡散曝気する。
【００２１】
排水貯水槽の底面２に本小型水中曝気装置を設置し、ゴム敷板７の効果により本装置の起動と停止時における衝撃を緩和し、移動防止とする。
【００２２】
本考案の単相１００V小型水中曝気装置の制御は、汚水汚物用水中ポンプ３の寿命延長と排水貯水槽１への拡散曝気により過曝気としないため、制御盤を設けタイマー制御（１０分〜１００分）の間欠運転が可能である。
【００２３】
小規模な長方向形の水槽で実施結果は、ベルマウス５上面からペーパー類と空気を渦巻き状に吸込み、吐出側のメスエルボ内径ネジ加工部６-1から破砕されたペーパー類と気泡状の空気を水中に拡散曝気し、水槽内に流れが発生しベルマウス５付近に弱い流れが戻り、水槽内の全般に亘り拡散曝気していることを確認した。
【産業上の利用可能性】
【００２４】
三相２００V電源はないが、単相１００V電源がある小規模店舗とビルの地下部等における排水貯水槽１の小型水中曝気装置に適用できる。
【符号の説明】
【００２５】
１  排水貯水槽
２  排水貯水槽の底面
３  汚水汚物用水中ポンプ
３-1  汚水汚物用水中ポンプ用モーター
３-2  汚水汚物用水中ポンプ用ケーシング
３-3  汚水汚物用水中ポンプ用三脚
３-4  汚水汚物用水中ポンプ用架台
３-5  汚水汚物用水中ポンプ側の吸込み口
３-6  汚水汚物用水中ポンプ側の吐出口
３-7  汚水汚物用水中ポンプのポンプ構造部
４  樹脂配管部
５  ベルマウス
６  オスメスエルボ
６-1  ネジ加工部
７  ゴム敷板
８  固定バンド
９  浮遊スカム
【図１】
0003155673.tif 000003